(57)【要約】【課題】本発明は省電力モードへの移行時間を適切かつ容易に設定することのできる画像形成装置を提供する。【解決手段】ＭＦＰ１は、常時、ＭＦＰ１の使用状況情報である使用時間間隔を時間測定部で取得して、装置使用間隔記憶部に記憶し、省電力モード移行時間の設定に際して、装置使用間隔記憶部に記憶されている使用時間間隔等の使用状況情報を、ユーザの選択に応じて、表示出力または用紙に記録出力する。したがって、過去のＭＦＰ１の使用状況の推移に基づいて省電力モード移行時間を設定することができ、省電力を効率的にかつ確実に向上させることができる。【選択図】          図１
2005103868.tif 000002
【特許請求の範囲】
【請求項１】
少なくとも画像データに基づいて画像形成手段で用紙に画像形成するとともに、待機状態で所定の省電力モード移行時間が経過すると、電源部から所定部分への電源の供給を停止または供給電圧を低減して省電力を行う省電力モードに移行する画像形成装置において、所定の情報を表示する表示手段と、前記省電力モード移行時間を設定する時間設定手段と、画像形成装置の使用時間間隔等の使用状況情報を取得する使用状況情報取得手段と、当該使用状況情報取得手段の取得した使用状況情報を記憶する情報記憶手段と、を備え、前記時間設定手段による前記省電力モード移行時間の設定に際して、前記情報記憶手段に記憶されている前記使用状況情報を前記表示手段に表示出力することを特徴とする画像形成装置。
【請求項２】
少なくとも画像データに基づいて画像形成手段で用紙に画像形成するとともに、待機状態で所定の省電力モード移行時間が経過すると、電源部から所定部分への電源の供給を停止または供給電圧を低減して省電力を行う省電力モードに移行する画像形成装置において、前記省電力モード移行時間を設定する時間設定手段と、画像形成装置の使用時間間隔等の使用状況情報を取得する使用状況情報取得手段と、当該使用状況情報取得手段の取得した使用状況情報を記憶する情報記憶手段と、を備え、前記時間設定手段による前記省電力モード移行時間の設定に際して、前記情報記憶手段に記憶されている前記使用状況情報を前記画像形成手段で用紙に記録出力することを特徴とする画像形成装置。
【請求項３】
少なくとも画像データに基づいて画像形成手段で用紙に画像形成するとともに、待機状態で所定の省電力モード移行時間が経過すると、電源部から所定部分への電源の供給を停止または供給電圧を低減して省電力を行う省電力モードに移行する画像形成装置において、所定の情報を表示する表示手段と、前記省電力モード移行時間を設定する時間設定手段と、画像形成装置の使用時間間隔等の使用状況情報を取得する使用状況情報取得手段と、当該使用状況情報取得手段の取得した使用状況情報を記憶する情報記憶手段と、当該情報記憶手段の記憶する使用状況情報の出力形態を選択する選択手段と、を備え、前記時間設定手段による前記省電力モード移行時間の設定に際して、前記情報記憶手段に記憶されている前記使用状況情報を、前記選択手段の選択に応じて、前記表示手段への表示出力または前記画像形成手段による用紙への記録出力を行うことを特徴とする画像形成装置。
【発明の詳細な説明】
【技術分野】
【０００１】
本発明は、画像形成装置に関し、詳細には、省電力モードへの移行時間を適切かつ容易に設定することのできる画像形成装置に関する。
【背景技術】
【０００２】
環境保全の目的から、画像形成装置においても、省電力化が近年重要な課題となってきており、また、ユザー側にとっても、使用してないときの機器のエネルキー消費は経済的にも無駄である。
【０００３】
そこで、複写装置、ファクシミリ装置、プリンタ等の画像形成装置においても、省エネルギモードを備えたものが従来から出現しており、画像形成動作時以外の待機状態において、省エネルギモードに移行して、必要最小限のユニットについてのみ電力を供給し、画像形成動作時にしか使用しないユニットへの電力供給を停止することで、画像形成装置としてのシステム全体の消費電力を低減させている。
【０００４】
すなわち、従来、画像形成装置においては、画像形成動作時以外の待機状態において、所定の無操作状態及び無画像形成コマンド状態が所定の待ち時間経過すると、省エネルギーモードに移行して、消費電力の削減を図っている。
【０００５】
そして、従来、複写機能、プリンタ機能及びファクシミリ機能のうち少なくとも２つの機能を有し、各々の機能で動作可能な画像形成装置であって、前記各機能のいずれかを選択する機能選択手段と、前記装置の各種エレメントを駆動する駆動手段と、画像形成動作が終了してから所定時間経過後に前記駆動手段の動作を停止させるオートシャット機構と、前記機能手段によって選択された機能毎に前記所定時間を設定する手段と、前記設定手段によって設定された所定時間に基づいて前記オートシャット機構の動作を制御する手段とを備えた画像形成装置が提案されている（特許文献１参照）。
【０００６】
【特許文献１】特開平６−６４９６号公報
【発明の開示】
【発明が解決しようとする課題】
【０００７】
しかしながら、このような公報記載の従来技術にあっては、省電力モードへの移行時間をユーザが設定することはできるが、設定する値の目安が無く、電力の無駄が発生したり、作業効率が低下するおそれがあった。
【０００８】
そこで、請求項１記載の発明は、常時、画像形成装置の使用状況情報を取得して、情報記憶手段に記憶し、省電力モード移行時間の設定に際して、情報記憶手段に記憶されている使用状況情報を表示手段に表示出力することにより、現在の画像形成装置の使用状況を把握できるようにして、過去の画像形成装置の使用状況の推移から省電力モード移行時間を設定できるようにし、省電力の効果を効率的に向上させることのできる画像形成装置を提供することを目的としている。
【０００９】
請求項２記載の発明は、常時、画像形成装置の使用状況情報を取得して、情報記憶手段に記憶し、省電力モード移行時間の設定に際して、情報記憶手段に記憶されている使用状況情報を用紙に記録出力することにより、現在の画像形成装置の使用状況を把握できるようにして、過去の画像形成装置の使用状況の推移から省電力モード移行時間を設定できるようにし、省電力の効果を効率的に向上させることのできる画像形成装置を提供することを目的としている。
【００１０】
請求項３記載の発明は、常時、画像形成装置の使用状況情報を取得して、情報記憶手段に記憶し、省電力モード移行時間の設定に際して、情報記憶手段に記憶されている使用状況情報を、ユーザの選択に応じて、表示出力または用紙に記録出力することにより、現在の画像形成装置の使用状況をユーザがより一層適切に把握できるようにして、過去の画像形成装置の使用状況の推移から省電力モード移行時間をより一層適切に設定できるようにし、省電力の効果をより一層効率的にかつ確実に向上させることのできる画像形成装置を提供することを目的としている。
【課題を解決するための手段】
【００１１】
請求項１記載の発明の画像形成装置は、少なくとも画像データに基づいて画像形成手段で用紙に画像形成するとともに、待機状態で所定の省電力モード移行時間が経過すると、電源部から所定部分への電源の供給を停止または供給電圧を低減して省電力を行う省電力モードに移行する画像形成装置において、所定の情報を表示する表示手段と、前記省電力モード移行時間を設定する時間設定手段と、画像形成装置の使用時間間隔等の使用状況情報を取得する使用状況情報取得手段と、当該使用状況情報取得手段の取得した使用状況情報を記憶する情報記憶手段と、を備え、前記時間設定手段による前記省電力モード移行時間の設定に際して、前記情報記憶手段に記憶されている前記使用状況情報を前記表示手段に表示出力することにより、上記目的を達成している。
【００１２】
請求項２記載の発明の画像形成装置は、少なくとも画像データに基づいて画像形成手段で用紙に画像形成するとともに、待機状態で所定の省電力モード移行時間が経過すると、電源部から所定部分への電源の供給を停止または供給電圧を低減して省電力を行う省電力モードに移行する画像形成装置において、前記省電力モード移行時間を設定する時間設定手段と、画像形成装置の使用時間間隔等の使用状況情報を取得する使用状況情報取得手段と、当該使用状況情報取得手段の取得した使用状況情報を記憶する情報記憶手段と、を備え、前記時間設定手段による前記省電力モード移行時間の設定に際して、前記情報記憶手段に記憶されている前記使用状況情報を前記画像形成手段で用紙に記録出力することにより、上記目的を達成している。
【００１３】
請求項３記載の発明の画像形成装置は、少なくとも画像データに基づいて画像形成手段で用紙に画像形成するとともに、待機状態で所定の省電力モード移行時間が経過すると、電源部から所定部分への電源の供給を停止または供給電圧を低減して省電力を行う省電力モードに移行する画像形成装置において、所定の情報を表示する表示手段と、前記省電力モード移行時間を設定する時間設定手段と、画像形成装置の使用時間間隔等の使用状況情報を取得する使用状況情報取得手段と、当該使用状況情報取得手段の取得した使用状況情報を記憶する情報記憶手段と、当該情報記憶手段の記憶する使用状況情報の出力形態を選択する選択手段と、を備え、前記時間設定手段による前記省電力モード移行時間の設定に際して、前記情報記憶手段に記憶されている前記使用状況情報を、前記選択手段の選択に応じて、前記表示手段への表示出力または前記画像形成手段による用紙への記録出力を行うことにより、上記目的を達成している。
【発明の効果】
【００１４】
請求項１記載の発明の画像形成装置によれば、常時、画像形成装置の使用状況情報を取得して、情報記憶手段に記憶し、省電力モード移行時間の設定に際して、情報記憶手段に記憶されている使用状況情報を表示手段に表示出力するので、現在の画像形成装置の使用状況を把握できるようにして、過去の画像形成装置の使用状況の推移から省電力モード移行時間を設定することができ、省電力の効果を効率的に向上させることができる。
【００１５】
請求項２記載の発明の画像形成装置によれば、常時、画像形成装置の使用状況情報を取得して、情報記憶手段に記憶し、省電力モード移行時間の設定に際して、情報記憶手段に記憶されている使用状況情報を用紙に記録出力するので、現在の画像形成装置の使用状況を把握できるようにして、過去の画像形成装置の使用状況の推移から省電力モード移行時間を設定することができ、省電力の効果を効率的に向上させることができる。
【００１６】
請求項３記載の発明の画像形成装置によれば、常時、画像形成装置の使用状況情報を取得して、情報記憶手段に記憶し、省電力モード移行時間の設定に際して、情報記憶手段に記憶されている使用状況情報を、ユーザの選択に応じて、表示出力または用紙に記録出力するので、現在の画像形成装置の使用状況をユーザがより一層適切に把握できるようにして、過去の画像形成装置の使用状況の推移から省電力モード移行時間をより一層適切に設定することができ、省電力の効果をより一層効率的にかつ確実に向上させることができる。
【発明を実施するための最良の形態】
【００１７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１８】
図１〜図８は、本発明の画像形成装置の一実施例を示す図であり、図１は、本発明の画像形成装置の一実施例を適用したＭＦＰ（マルチファンクション装置）１の全体概略構成側面図である。
【００１９】
図１において、ＭＦＰ１は、本体筐体２内に、転写紙給紙部３、作像部４、定着部５、原稿給紙部６及び読取部７等を備えているとともに、本体筐体２の中間の側部に転写紙排紙部８が設けられ、本体筐体２の上部に原稿台９と原稿排紙部１０が設けられている。また、ＭＦＰ１は、本体筐体２の上部に、操作表示部１１が設けられている。ＭＦＰ１は、スキャナ機能、プリンタ機能及びファクシミリ機能等の各種機能を備えている。
【００２０】
転写紙給紙部３は、ロール転写紙２１を収納する第１収納部２２、カット転写紙２３を収納する第２収納部２４及び転写紙２１、２３を作像部４に搬送する給紙機構２５等を備えており、操作表示部１１で選択、または、後述するシステム制御部５１（図３参照）で選択された転写紙２１、２３を給紙機構２５で作像部４に搬送する。
【００２１】
なお、ＭＦＰ１は、手差し給紙部１２が設けられており、手差し給紙部１２にセットされた転写紙２６を、給紙機構２５が作像部４に搬送する。
【００２２】
また、第１収納部２２、第２収納部２４及び手差し給紙部１２には、各種サイズの転写紙２１、２３、２６が収納またはセット可能である。
【００２３】
作像部４は、後述する読取部７の読み取った原稿Ｇの画像データに基づいて、電子写真方式により、転写紙給紙部３または手差し給紙部１２から搬送されてきた転写紙２１、２３にトナーを付着させてトナー画像を形成し、トナー画像を形成した転写紙２１、２３を定着部５に搬送する。
【００２４】
すなわち、作像部４は、感光体、除電部、帯電部、光書込部、現像部、転写部、クリーニング部等を備え、除電部で除電して帯電部で一様に帯電した感光体に、読取部７で読み取った原稿Ｇの画像データに基づいて変調したレーザ光を光書込部が照射することで静電潜像を形成して、静電潜像の形成された感光体に現像部がトナーを付着させてトナー画像を形成する。作像部４は、感光体上に形成したトナー画像を、転写紙給紙部３から搬送されてきた転写紙２１、２３、２６に転写部で転写し、転写の完了した転写紙２１、２３、２６を定着部５に搬送する。また、作像部４は、転写の完了した感光体上の残留トナーをクリーニング部でクリーニングし、清浄にクリーニングされた感光体を除電部で除電した後、帯電部で一様に帯電させて、再度作像に供する。
【００２５】
定着部５は、所定の定着温度に加熱される加熱ローラ５ａと加熱ローラ５ａに圧接されている加圧ローラ５ｂを備え、作像部４から搬送されてくるトナー画像の形成されている転写紙２１、２３を搬送しつつ加熱・加圧して、トナー画像を転写紙２１、２３に定着させて、定着の完了した転写紙２１、２３を転写紙排紙部８に排出する。上記作像部４及び定着部５は、全体として画像記録手段として機能している。
【００２６】
原稿台９には、読取対象の原稿Ｇが載置され、原稿給紙部６は、原稿台９上に載置された原稿Ｇを読取部７に搬送し、また、読取部７で読み取りの完了した原稿Ｇを排紙部１０に排出する。
【００２７】
そして、上記読取部７は、原稿台９から原稿給紙部６により搬送される原稿Ｇに、光源から読み取り光を照射して原稿Ｇで反射された画情報を含む反射光を光電変換して、原稿Ｇの画像の濃淡と画像位置の情報をデジタル信号に変換し、デジタル画像データとして出力する。
【００２８】
上記操作表示部（表示手段、選択手段）１１は、図２に示すように、主電源スイッチ３０、テンキー３１、スタートキー３２、クリア／ストップキー３３、割り込みキー３４、プログラムキー３５、ワンタッチキー３６及びファンクションキー３７等の各種操作キーが設けられているとともに、文字サイズ（線密度）を点灯して表示する文字サイズＬＥＤ（Light Emitting Diode）３８、直接送信とメモリ送信の送信形態を点灯して表示する送信形態ＬＥＤ３９等の各種ＬＥＤ及びタッチパネル付きディスプレイ（表示手段）４０等を備えている。
【００２９】
操作表示部１１は、各種操作キーで送信先の電話番号の入力や文字サイズの選択、送信形態の選択、読取密度の設定、コピー部数の設定等の各種操作が行われ、タッチパネル付きディスプレイ４０には、操作キーから入力された各種命令やＭＦＰ１からオペレータに通知する各種情報を表示する。
【００３０】
そして、タッチパネル付きディスプレイ４０は、タッチパネル付きディスプレイ４０に表示されるタッチボタンの操作により命令操作や各種モードへの移行の操作を行うことができるとともに、各モードで必要なタッチボタンの表示を行うことができ、表示手段として機能するとともに、選択手段として機能する。
【００３１】
そして、ＭＦＰ１は、図３に示すようにブロック構成されており、上記転写紙給紙部３、作像部４、定着部５、原稿給紙部６、読取部７、転写紙排紙部８、原稿排紙部１０及び操作表示部１１を備えているとともに、システム制御部５１、画像処理部５２、原稿画像記憶部５３、時間測定部５４、装置使用間隔記憶部５５、省電力モード移行時間設定部５６、使用状況パネル出力部５７及び使用状況紙出力部５８等を備えている。
【００３２】
システム制御部５１は、例えば、ＣＰＵ（Central Processing Unit ）、ＲＯＭ（Read Only Memory）、ＲＡＭ（Random Access Memory）等で構成され、ＲＯＭ内のプログラムに基づいて、ＣＰＵがＲＡＭをワークメモリとして利用しつつＭＦＰ１の各部を制御して、ＭＦＰ１としての基本処理を実行するとともに、後述する省電力モード移行制御処理を制御する。
【００３３】
そして、操作表示部１１の操作で、省電力モードへの移行時間を適宜設定することができ、システム制御部５１は、操作表示部１１の操作で設定された省電力モード移行時間に基づいて省電力モードへの移行を行う。
【００３４】
画像処理部５２は、システム制御部５１の制御下で、読取部７の読み取った原稿Ｇのデジタル画像データに対して、シェーディング補正等の画像品質を向上させる各種画像処理を行うとともに、画像の拡大・縮小処理及びマーカー部分の画像の強調処理等の各種画像処理を行う。
【００３５】
原稿画像記憶部５３は、大容量のＲＡＭ（Random Access Memory）やハードディスク等の大容量記憶媒体で構成され、画像データを記憶する。
【００３６】
時間測定部（使用状況情報取得手段）５４は、図示しない内部タイマを利用して時間の計時、特にＭＦＰ１の使用時間、省電力移行時間等の計時を行い、装置使用時間間隔記憶部（情報記憶手段）５５は、時間測定部５４の計時したＭＦＰ１（装置）の使用時間間隔を記憶する。
【００３７】
省電力モード移行時間設定部（時間設定手段）５６は、待機状態のときに省電力を行う省電力モードへ移行するまでの待ち時間である省電力モード移行時間をユーザが設定する部分であり、具体的には、操作表示部１１のキー操作部分等を総称したものである。
【００３８】
使用状況パネル出力部５７は、ＭＦＰ１の使用間隔、ＭＦＰ１の使用された絶対時間を操作表示部１１のタッチパネル付きディスプレイ４０に表示する。
【００３９】
使用状況紙出力部５８は、ＭＦＰ１の使用間隔、ＭＦＰ１の使用された絶対時間を、転写紙給紙部３、作像部４及び定着部５等の画像形成手段を使用して、転写紙給紙部３から給紙したロール転写紙２１またはカット転写紙２３に記録出力する。
【００４０】
次に、本実施例の作用を説明する。本実施例のＭＦＰ１は、各部への電力の供給を停止や削減して、消費電力を削減する省電力モードを備えており、待機時に所定の省電力移行時間の間所定の無操作・無コマンド状態が継続すると、省電力モードに移行するが、この省電力モード移行時間をユーザが適宜設定することができ、また、ＭＦＰ１の使用時間間隔等の省電力モード移行時間の設定の参考となる情報（使用状況情報）を紙出力または表示出力する。
【００４１】
すなわち、ＭＦＰ１は、操作表示部１１を使用して、コピー操作、プリンタ操作等の各種操作が行われると、当該操作に応じて、システム制御部５１がＭＦＰ１の各部を制御して、コピー動作やプリンタ動作等の各種動作処理を行う。
【００４２】
そして、システム制御部５１は、ＭＦＰ１の上記動作処理を監視するとともに、その動作時間間隔（使用時間間隔）を測定して記憶し、待機時に所定の省電力移行時間の間所定の無操作・無コマンド状態が継続すると、省電力モードに移行するが、この省電力モード移行時間をユーザが適宜設定することができるが、このとき、上記記憶した使用時間間隔等の使用状況情報を、ユーザの選択に応じて、表示出力または記録出力する。
【００４３】
すなわち、図４に示すように、ＭＦＰ１は、上述のように、操作部１１の操作等に応じてコピー処理、プリンタ処理、ファクシミリ処理等の各種動作処理を行うが、システム制御部５１は、このようなＭＦＰ１の使用時間間隔を時間測定部５４に測定させて、時間測定部５４の測定したＭＦＰ１の使用時間間隔を順次装置使用間隔記憶部５５に記憶する（ステップＳ１０１）。
【００４４】
そして、システム制御部５１は、省電力モード移行時間設定モードが操作表示部１１の操作で選択されると、システム制御部５１は、使用状況出力方法、すなわち、使用時間間隔の出力方法を問い合わせる画面表示を操作表示部１１のタッチパネル付きディスプレイ４０に行う（ステップＳ１０２）。この使用状況出力方法の画面表示では、例えば、図５に示すように、使用状況の出力方法として、「紙出力」と「操作パネル出力」の表示と、当該出力方法の選択を促すメッセージ、例えば、「使用状況の出力を行う方法を選択してください。」のメッセージの表示を行う。
【００４５】
システム制御部５１は、上記使用状況出力方法の選択でいずれの方法が選択されたかをチェックし（ステップＳ１０３）、紙出力が選択されると、装置使用間隔記憶部５５から使用時間間隔情報を読み出して、使用状況紙出力部５８が、転写紙給紙部３、作像部４及び定着部５等を使用して、転写紙給紙部３から給紙したロール転写紙２１またはカット転写紙２３に、例えば、図６に示すように、使用時間間隔情報を記録出力する（ステップＳ１０４）。なお、図６では、日毎に使用時間と使用時間間隔の使用時間間隔情報がロール転写紙２１またはカット転写紙２３の転写紙２０Ｐに記録されている。
【００４６】
また、システム制御部５１は、ステップＳ１０３で、操作パネル出力が選択されると、装置使用間隔記憶部５５から使用時間間隔情報を読み出して、使用状況パネル出力部５７が、操作表示部１１のタッチパネル付きディスプレイ４０に、例えば、図７に示すように、使用時間間隔情報を表示出力する（ステップＳ１０５）。なお、図７では、タッチパネル付きディスプレイ４０に、日毎に使用時間と使用時間間隔の使用時間間隔情報が表示されているとともに、タッチパネル付きディスプレイ４０の１画面に表示しきれない情報をスクロールして表示させるために、上下方向のスクロールボタン４０ａ、４０ｂが表示されており、当該スクロールボタン４０ａ、４０ｂがタッチ操作されると、使用状況パネル出力部５７は、当該タッチ操作に応じて、使用時間間隔情報をスクロール表示させる。
【００４７】
システム制御部５１は、使用時間間隔情報の出力を行うと、省電力モード移行時間設定画面を、例えば、図８に示すように、タッチパネル付きディスプレイ４０に表示し（ステップＳ１０６）、省電力モード移行時間設定部５６が、設定入力された時間を、省電力モード移行時間として設定して処理を終了する（ステップＳ１０７）。なお、図８では、「省電力モードへ移行する時間をテンキーで入力してください。」のメッセージの表示を行っており、このメッセージに応じて、ユーザが、操作表示部１１のテンキーを使用して、意図する省電力モード移行時間、図８では、３分を入力している状態を示している。
【００４８】
このように、本実施例のＭＦＰ１は、常時、ＭＦＰ１の使用状況情報である使用時間間隔を時間測定部５４で取得して、装置使用間隔記憶部５５に記憶し、省電力モード移行時間の設定に際して、装置使用間隔記憶部５５に記憶されている使用時間間隔等の使用状況情報をタッチパネル付きディスプレイ４０に表示出力している。
【００４９】
したがって、現在のＭＦＰ１の使用状況を把握できるようにして、過去のＭＦＰ１の使用状況の推移から省電力モード移行時間を設定することができ、省電力の効果を効率的に向上させることができる。
【００５０】
また、本実施例のＭＦＰ１は、常時、ＭＦＰ１の使用状況情報である使用時間間隔を時間測定部５４で取得して、装置使用間隔記憶部５５に記憶し、省電力モード移行時間の設定に際して、装置使用間隔記憶部５５に記憶されている使用時間間隔等の使用状況情報を、用紙に記録出力している。
【００５１】
したがって、現在のＭＦＰ１の使用状況を把握できるようにして、過去のＭＦＰ１の使用状況の推移から省電力モード移行時間を設定することができ、省電力の効果を効率的に向上させることができる。
【００５２】
さらに、本実施例のＭＦＰ１は、常時、ＭＦＰ１の使用状況情報である使用時間間隔を時間測定部５４で取得して、装置使用間隔記憶部５５に記憶し、省電力モード移行時間の設定に際して、装置使用間隔記憶部５５に記憶されている使用時間間隔等の使用状況情報を、ユーザの選択に応じて、表示出力または用紙に記録出力している。
【００５３】
したがって、現在のＭＦＰ１の使用状況をユーザがより一層適切に把握できるようにして、過去のＭＦＰ１の使用状況の推移から省電力モード移行時間をより一層適切に設定することができ、省電力の効果をより一層効率的にかつ確実に向上させることができる。
【００５４】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５５】
本発明は、省電力モードを備え、当該省電力モードへの移行時間をユーザの利用形態等に応じて設定可能な画像形成装置一般に適用することができる。
【図面の簡単な説明】
【００５６】
【図１】本発明の画像形成装置の一実施例を適用したＭＦＰの正面概略構成図。
【図２】図１のタッチパネル付きディスプレイを備えた操作表示部の平面図。
【図３】図１のＭＦＰのブロック構成図。
【図４】図１のＭＦＰによる省電力モード移行時間設定処理を示すフローチャート。
【図５】図４の省電力モード移行時間設定処理での使用状況出力方法の選択方法を表示するタッチパネル付きディスプレイの表示画面の一例を示す図。
【図６】図４の省電力モード移行時間設定処理での使用時間間隔情報の紙出力の一例を示す図。
【図７】図４の省電力モード移行時間設定処理での使用時間間隔情報の操作パネル出力の一例を示す図。
【図８】図４の省電力モード移行時間設定処理でのタッチパネル付きディスプレイへの省電力モード移行時間設定画面の一例を示す図。
【符号の説明】
【００５７】
１  ＭＦＰ
２  本体筐体
３  転写紙給紙部
４  作像部
５  定着部
５ａ  加熱ローラ
５ｂ  加圧ローラ
６  原稿給紙部
７  読取部
８  転写紙排紙部
９  原稿台
１０  原稿排紙部
１１  操作表示部
２０Ｐ  転写紙
２１  ロール転写紙
２２  第１収納部
２３  カット転写紙
２４  第２収納部
２５  給紙機構
２６  転写紙
３０  主電源スイッチ
３１  テンキー
３２  スタートキー
３３  クリア／ストップキー
３４  割り込みキー
３５  プログラムキー
３６  ワンタッチキー
３７  ファンクションキー
３８  文字サイズＬＥＤ
３９  送信形態ＬＥＤ
４０  タッチパネル付きディスプレイ
５１  システム制御部
５２  画像処理部
５３  原稿画像記憶部
５４  時間測定部
５５  装置使用間隔記憶部
５６  省電力モード移行時間設定部
５７  使用状況パネル出力部
５８  使用状況紙出力部
【図１】
2005103868.tif 000003
【図２】
2005103868.tif 000004
【図３】
2005103868.tif 000005
【図４】
2005103868.tif 000006
【図５】
2005103868.tif 000007
【図６】
2005103868.tif 000008
【図７】
2005103868.tif 000009
【図８】
2005103868.tif 000010